(57)【要約】【課題】設置位置の地面の状況に合わせて、安定して設置することができ、移動作業も容易である区画用ポールを提供すること。【解決手段】所定の領域を区画するために地面上に設置されるポール本体１１と、該ポール本体１１の基端部分１１ａに取り付けられ、該ポール本体１１の外側面から外方に延在した状態で少なくとも先端部１９が地面Ｇと接触しポール本体１１を立設状態に保持可能な複数の支持脚体１２と、を備え、支持脚体１２の取り付けを、ポール本体１１とのなす角を調整可能で且つ設定された角度を維持可能とする連結部材１３を介して行った。【選択図】図１
2011140798.tif 000002
【特許請求の範囲】
【請求項１】
所定の領域を区画するために地面上に設置されるポール本体と、
該ポール本体の基端部分に取り付けられ、該ポール本体の外側面から外方に延在した状態で少なくとも先端部が地面と接触し前記ポール本体を立設状態に保持可能な複数の支持脚体と、を備え、
前記支持脚体の取り付けは、前記ポール本体とのなす角を調整可能で且つ設定された角度を維持可能とする連結部材を介して行われことを特徴とする区画用ポール。
【請求項２】
前記支持脚体は、複数の脚体構成パーツと、該脚体構成パーツ間で隣り合う脚体構成パーツを相互に結合する結合部材と、を有し、
前記結合部材は、前記隣り合う脚体構成パーツを相互に回動可能で且つ、該各脚体構成パーツを所望の回動位置に維持可能な屈伸部として形成されたことを特徴とする請求項１に記載の区画用ポール。
【請求項３】
前記複数の支持脚体の内の１本を、他の支持脚体と比較して長く形成したことを特徴とする請求項１又は２に記載の区画用ポール。
【発明の詳細な説明】
【技術分野】
【０００１】
本発明は、区画用ポールに関し、特に、発電所や変電所において作業範囲又は危険箇所等を区画する表示を行う紅白ネット等を支持する区画用ポールに関する。
【背景技術】
【０００２】
作業又は安全のために、作業区域又は危険箇所を紅白ネット等で囲み、他の場所から区画することが行われている。例えば、発電所や変電所においては、特定の機器への通電を止め、点検・修理するため、作業中であることを表示し事故が発生しないように当該機器を紅白ネットなどで区画することが行われている。また、危険箇所への立ち入り等を禁止する場合には、区画用ポールを立て、このポール間にロープを介して紅白ネットを支持して張り巡らせ、立ち入り禁止区域であることを示している。
【０００３】
このような区画用ポールとして、例えば、特許文献１には、ポール本体が段階的に伸縮可能で、本体の基端部分に地中に埋設させるためのコンクリートブロックが固定された区画用ポールが記載されている。当該文献に記載の区画用ポールにおいては、その基端部分に設けられるコンクリートブロックが地中に埋設されて固定されるためポールの立設状態が安定し、紅白ネットやロープの重量によりポールが転倒してしまうことが防止される。
【０００４】
また、特許文献２には、スタンドポールを軽量な合成樹脂とする一方、その自立安定性を確保して、転倒防止を行い得るようにした合成樹脂スタンドポールが開示されている。このスタンドポールは、基端部分に樹脂製のベースプレートが設けられており、これを区画対象範囲の地面に載置することでその設置が行われる。
【先行技術文献】
【特許文献】
【０００５】
【特許文献１】特開平１１−３２４４０８号公報
【特許文献２】特許第２６７１２００号公報
【発明の概要】
【発明が解決しようとする課題】
【０００６】
しかし、上記特許文献１のポールでは、地面が硬質の材料で形成されている場合においては、本体基端部分に取り付けられたコンクリートブロックを地中に埋設する作業が困難であるので、当該ポールを使用できる状況が限られてしまうという問題があった。また、例えば、ある区画領域における作業が終了すると、区画する作業領域を変更する必要があるが、この際、地中に埋設されたコンクリートブロックを引き抜く作業が煩雑であり、作業効率を低下させる恐れがある。また、ポールの基端部分のコンクリートブロックは、重量が非常に重く、その持ち運び作業が煩雑である。
【０００７】
また、特許文献２の発明においては、ベースプレートが樹脂製に形成されていることで、重量は軽減されているものの、ポールを立設させる際にベースプレートは地面に埋め込まれることなく載置されるだけなので、傾斜地や凹凸のある地面のような平坦でない面に安定して設置することが難しいという問題があった。
【０００８】
本発明は、このような事情に鑑みてなされたものであり、その目的は、設置位置の地面の状況に合わせて、安定して設置することができ、移動作業も容易である区画用ポールを提供することにある。
【課題を解決するための手段】
【０００９】
上記課題を解決するために、請求項１に記載の区画用ポールは、所定の領域を区画するために地面上に設置されるポール本体と、該ポール本体の基端部分に取り付けられ、該ポール本体の外側面から外方に延在した状態で少なくとも先端部が地面と接触し前記ポール本体を立設状態に保持可能な複数の支持脚体と、を備え、前記支持脚体の取り付けは、前記ポール本体とのなす角を調整可能で、且つ設定された角度を維持可能とする連結部材を介して行われことを特徴とする。
【００１０】
これによれば、傾斜地や凹凸が形成されているような場合等、平地と異なりポールを立てることが難しい地面状況であったとしても、このような地面の状況に合わせて支持脚体とポール本体のなす角度を調整して、支持脚体の先端部分を地面と接触させて良好な摩擦抵抗を得ることで、ポール本体を地面に安定に立設させることができる。また、この区画用ポールは、ポール本体が当該立設にあたって地面に埋設される形態をとらないので、立設作業においてポール本体の基端部分を埋設する煩雑な作業も省くことができる。更に、ポールの支持するものが脚体であることからコンクリートブロックのような重量物でポールの支持を行う場合と比較して、重量を大きく軽減することができる。
【００１１】
特に、支持脚体とポール本体のなす角をほぼ０°、すなわち支持脚体とポール本体を略平行な状態として支持脚体を畳むことで、区画対象領域の変更等の理由で区画用ポールを持ち運ぶ際において、支持脚体が邪魔にならず、人手による運搬をスムーズに行うことができる。
【００１２】
請求項２に記載の発明は、請求項１に記載の区画用ポールにおいて、前記支持脚体は、複数の脚体構成パーツと、該脚体構成パーツ間で隣り合う脚体構成パーツを相互に結合する結合部材と、を有し、前記結合部材は、前記隣り合う脚体構成パーツを相互に回動可能で且つ、該各脚体構成パーツを所望の回動位置に維持可能な屈伸部として形成されたことを特徴とする。
【００１３】
これによれば、区画用ポールを設置する領域が狭く設置面積が限られている場合や、地面に凹凸があるため支持脚体を真っ直ぐに伸ばした状態で脚体先端部と地面との間で良好な接触状態が得られない場合であっても、それら状況に応じて、屈伸部を屈伸させて支持脚体の延在長さを調整することができ、支持脚体先端部と地面との良好な摩擦の接触状態を得ることができる。
【００１４】
請求項３に記載の発明は、請求項１又は２に記載の区画用ポールにおいて、前記複数の支持脚体の内の１本を、他の支持脚体と比較して長く形成したことを特徴とする。
【００１５】
これによれば、長く形成した１本のポールのみを、傾斜地の谷側方向等のポールの自重による負荷の大きい方向に沿うように配置し、区画用ポールをより安定して立たせることができる。
【発明の効果】
【００１６】
本発明にかかる区画用ポールによれば、傾斜地や凹凸が形成されているような地面状況であっても、支持脚体とポール本体のなす角度を調整することで支持脚体の先端部分と地面との間で良好な摩擦抵抗を得て、ポール本体の地面に対する安定した立設状態を確保することができる。また、ポールの支持するものが棒状の脚体であることからコンクリートブロックのような重量物でポールの支持を行う場合と比較して、重量を大きく軽減することができる。特に、支持脚体とポール本体を略平行な状態として支持脚体を畳むことで、区画対象領域の変更等の理由で区画用ポールを持ち運ぶ際において、支持脚体が邪魔にならず、人手による運搬をスムーズに行うことができる。
【図面の簡単な説明】
【００１７】
【図１】本実施の形態にかかる区画用ポールの構造を説明する図である。
【図２】区画用ポールの設置状態の例を示す図である。
【図３】他の実施の形態にかかる区画用ポールの構造を説明する図である。
【図４】区画用ポールの設置状態の例を示す図である。
【発明を実施するための形態】
【００１８】
以下、本発明に係る実施の形態について図面を参照して詳細に説明する。なお、本実施の形態に係る区画用ポールは、発電所や変電所において作業範囲を明確に区画表示する紅白ネット等を張るために所望の本数設置されるものである。
【００１９】
図１は、本実施の形態にかかる区画用ポールの構造を説明する図であり、図１（ａ）は、区画用ポールの概略側面図、図１（ｂ）は、区画用ポールの概略平面図を示している。
【００２０】
図示のように、区画用ポール１０は、棒状のポール本体１１を備え、このポール本体１１は、基端部分１１ａが相対的に拡径しおり、変曲部１１ｃを境界として先端部分１１ｂが小径に形成された先細り形状を有している。なお、本実施の形態では、基端部分１１ａの内部には、軽量化などの目的で空洞部８０が形成されている。
【００２１】
そして、このポール本体１１の基端部分１１ａの外周面には、ポール本体１１を立設状態に維持するための３本の支持脚体１２が設けられている。支持脚体１２は、ポール本体１１の外側面と基端屈伸部１３を介して設けられた基端側パーツ１２ａと、この基端側パーツ１２ａに中間屈伸部１５を介して取り付けられた先端側パーツ１２ｂと、先端側パーツ１２ｂに先端屈伸部１７を介して設けられた地面と接触する部分である先端接地部材１９と、により構成されている。
【００２２】
基端屈伸部１３は、屈伸可能な公知のラチェット構造により構成されている。具体的に、この基端屈伸部１３を屈伸させることで、基端側パーツ１２ａは、ポール本体１１に対して回動し、予め定められた範囲内における所望の回動角を維持できる。従って、支持脚体１２とポール本体１１との間でなす角を特定範囲内に所望の値に調整可能することができる。本実施の形態では、支持脚体１２とポール本体１１とのなす角は、図の矢印Ｒで示すように、支持脚体１２がポール本体１１と略平行な状態となる脚体折り畳み状態（上記なす角がほぼ０°）から、支持脚体１２がポール本体１１の長手方向軸に対して直交する方向よりも開いた開放状態（例えば、上記なす角が１００°程度の状態）まで、段階的に調節が可能である。なお、この基端屈伸部１３による支持脚体１２とポール本体１１のなす角の調節は、区画用ポール１０が設置される位置の地面の状態等に応じて適宜設定される。
【００２３】
これにより、設置対象である地面が傾斜地や凹凸が形成されているような場合等の平地と異なりポール本体１１を立てることが難しい地面状況であったとしても、このような地面の状況に合わせて支持脚体１２とポール本体１１のなす角度を適宜調整して、支持脚体１２の先端接地部材１９を地面と接触させて良好な摩擦抵抗を得ることで、ポール本体１１を地面に安定に立設させることができる。
【００２４】
そして、特に、支持脚体１２とポール本体１１のなす角をほぼ０°、すなわち支持脚体とポール本体を略平行な状態として支持脚体１２を畳むことで、区画対象領域の変更等の理由で区画用ポール１０を持ち運ぶ際において、支持脚体１２が邪魔にならず、人手による運搬をスムーズに行うことができる。
【００２５】
一方で、中間屈伸部１５は、上述のように基端屈伸部１３と同様のラチェット構造を有しており、したがって、基端側パーツ１２ａと先端側パーツ１２ｂを相互に回動可能で、これらパーツの回動位置を所望の回動角に維持することができる。
【００２６】
更に、先端屈伸部１７も同様のラチェット構造を有しているので、先端側パーツ１２ｂと先端接地部材１９を相互に回動可能で、これらの回動位置を所望の回転角に維持することができる。
【００２７】
支持脚体１２が上述の各屈伸部１３、１５、１７を備えることにより、本実施の形態の区画用ポール１０を設置する際に、設置面積が限られている場合や、地面に凹凸があるため支持脚体１２を真っ直ぐに伸ばした状態で先端接地部材１９と地面との間で良好な接触状態が得られない場合であっても、それら状況に応じて、各屈伸部１３、１５、１７を屈伸させて支持脚体１２全体の延在長さを調整することができ、先端接地部材１９と地面との良好な摩擦の接触状態を得ることができる。
【００２８】
また、先端接地部材１９は、上述のように地面に接触するものである。特に、本実施の形態では、地面と実際に接触する部分は、この先端接地部材１９の先端側に設けられる滑り止めゴム２１と基端側に設けられる樹脂製の滑り止め爪２３の２つの部材として構成されている。この２つの部材により、地面との間の摩擦力を効果的に得ることができる。なお、この、摩擦力を効果的に得る手段の態様は、上記滑り止めゴム２１や滑り止め爪２３に限られるものではなく、他の種々の公知の手段を適用することができる。
【００２９】
一方、ポール本体１１の基端部分１１ａには、把持部３１が形成されている。この把持部３１は、区画領域を変更する等の理由で区画用ポール１０を移動させる必要がある場合に、作業員が区画用ポール１０を持ち易いように設けられたものである。
【００３０】
また、ポール本体１１の基端部分１１ａにおける支持脚体１２が設けられている部分の上部位置外周には、支持対象である紅白ネット等の取り付け用ロープを掛止する基端部ロープ掛止部材２５が設けられている。この基端ロープ掛止部材２５は、ロープを引掛けるためのロープ掛止孔２６を有しており、ポール本体１１の外周上を回動し、任意の位置で固定可能となるようにポール本体１１に取り付けられている。このように、ロープ掛止部２５を回動させることで、ロープ掛止孔２６のポール本体１１に対する向きを調節することができる。
【００３１】
更に、ポール本体１１の先端部分１１ｂの外周には、先端部ロープ掛止部材２７が設けられている。この先端部ロープ掛止部材２７は、ポール本体１１を挟んで相互に対向する、ロープを掛止させる一対のロープ掛止孔２９が設けられている。なお、先端部ロープ掛止部材２７も、上述の基端部ロープ掛止部材２５と同様に、ポール本体１１の外周上を回動し、任意の位置で固定可能でとなるようにポール本体１１に取り付けられている。このように、先端部ロープ掛止部２７を回動させることで、ロープ掛止孔２９のポール本体１１に対する向きを調節することができる。
【００３２】
従って、基端部ロープ掛止部材２５と先端部ロープ掛止部材２７のポール本体１１に対する回転位置を適宜調整することにより、区画用ポール１０に対して任意の方向から紅白ネットの取り付け用ロープを掛止することが可能である。従って、区画対象領域を変更する際において、区画用紅白ネットの向きを変更すれば済む場合には、ポール本体１１を持ち運ぶなどの本体を移動させる作業を行うこと無く、先端部ロープ掛止部材２７、及び基端部ロープ掛止部材２５を回動位置を調整するだけで容易に区画用領域を変更することができる。
【００３３】
図２は、本実施の形態にかかる区画用ポール１０の設置例を示しており、特に図２（Ａ）は、隆起状の地面に設置した状態を示しており、図２（Ｂ）は、凹状の地面Ｇに設置した状態を示している。図２（Ａ）に示すように、地面Ｇの隆起部分に区画用ポール１０を設置する場合には、地面Ｇの下がり傾斜面に合わせて基端屈伸部１３を屈伸させる、すなわち、支持脚体１２をポール本体１１に対して図の水平線Ｈより開いた状態に維持する。
【００３４】
このように、ポール本体１１の位置を調節することによって、先端接地部材１９の滑り止め爪２１や滑り止めゴム２３が地面Ｇと接触して良好な摩擦抵抗が得られ、ポール本体１１を転倒しないように安定して立設することができる。
【００３５】
また、図２（Ｂ）に示すように、地面Ｇの凹状部分に区画用ポール１０を設置する場合には、地面Ｇの昇り傾斜面に合わせて基端屈伸部１３を屈伸させる、すなわち、支持脚体１２をポール本体１１に対して水平線Ｈよりやや閉じた状態に維持する。これにより、上述の隆起部分に区画用ポールを設置する場合と同様に、先端接地部材１９の滑り止め爪２１や滑り止めゴム２３と地面Ｇとの間で良好な接触状態が得られ、安定したポール本体１１の立設状態を達成することができる。
【００３６】
更に、本実施の形態にかかる区画用ポール１０によれば、ポール本体１１は支持脚体１２を用いて地面に立設される、すなわち、ポール本体１１がその設置にあたって地面Ｇに埋設される形態をとらないので、立設作業においてポール本体の基端部分を埋設する煩雑な作業が要求されことがない。また、ポール本体１１の支持するものが棒状の脚体１２であることから、コンクリートブロックのような重量物でポールの支持を行う場合と比較して、重量を大きく軽減することができる。
【００３７】
なお、図２（Ａ）、（Ｂ）に示した形態の地面Ｇ以外に、例えば、凸凹が多量に形成されている地面に区画用ポール１０を設置する場合には、その地面状況に合わせて、基端側屈伸部１３だけでなく、中間屈伸部１５や先端側屈伸部１７を屈伸させて各パーツ１２ａ、１２ｂを相互に回動させ、それにより、支持脚体１２全体の形状を上記凸凹に適応させて屈曲状に変化させ、先端接地部材１９と地面の接触状態（摩擦抵抗）を調整しても良い。
【００３８】
更に、区画用ポール１０を設置すべき場所の周辺に機器が配置されている等の理由でポールの設置可能面積が限られている場合には、例えば、支持脚体１２の中間屈伸部１５を所望角度まで屈伸させて、支持脚体１２全体の延在長さを短くした状態でその設置を行うようにしても良い。
【００３９】
図３には、他の実施の形態にかかる区画用ポール１０の構成の概略を示しており、図３（ａ）には、区画用ポール１０の概略側面図を示しており、図３（ｂ）には、区画用ポール１０の概略平面図を示している。
【００４０】
当該実施の形態では、図示のように、３本の支持脚体１２の１本を相対的に長く形成しており、他の２本の支持脚体１２を相対的に短く形成している。具体的に、相対的に長い支持脚体１２−１は、上記実施の形態と同様、基端側パーツ１２ａと先端側パーツ１２ｂの２個のパーツを有する形態とされており、相対的に短い支持脚体１２−２、１２−３は、１個のパーツ１２ａ−２、１２ａ−３のみを有する形態とされている。
【００４１】
図４には、図３に示した区画用ポール１０を傾斜地に設置した状態を示す図である。図示のように、長く形成した支持脚体１２−１を、負荷の大きい傾斜地の谷側方向に沿うように配置することで区画用ポール１０をより安定して立たせることができる。
【００４２】
なお、本発明は、上記実施の形態に限定されるものではなく、発明の要旨の範囲内で種々の変更が可能である。例えば、上記実施の形態では、ポール本体１１に支持脚体１２を３本取り付けている場合についてのみ説明しているが、ポール本体１１を立設させることが可能な最低限必要な本数を確保できれば支持脚体１２を何本取り付けても良い。
【００４３】
また、上述のパーツ１２ａ、１２ｂや屈伸部１３、１５、１７の数も、区画用ポール１０の大きさや地面Ｇの形状に合わせて、適宜変更が可能である。更に、各屈伸部１３、１５、１７の構造は、上述のラチェット構造に限定されるものではなく、隣り合う脚体構成パーツを相互に回動可能で且つ、各脚体構成パーツを所望の回動位置に維持可能な構成であれば、種々のものを適用可能である。
【符号の説明】
【００４４】
１０        区画用ポール
１１        ポール本体
１２        支持脚体
１２ａ      基端側パーツ
１２ｂ      先端側パーツ
１３        基端側屈伸部（連結部材）
１５        中間屈伸部
１７        先端側屈伸部
１９        先端接地部材（支持脚体の先端部）
２１        滑り止めゴム部材
２３        滑り止め爪部
２５        下方ロープ係止部材
２６        フック部
２７        上方ロープ係止部材
２９        フック部
３１        把持部
【図１】
2011140798.tif 000003
【図２】
2011140798.tif 000004
【図３】
2011140798.tif 000005
【図４】
2011140798.tif 000006